(57)【要約】【課題】放送番組のスポンサー情報に基づいて広告を出力する広告出力システム及びその方法を提供する。【解決手段】番組放送装置によって放送される番組及び該放送される番組のスポンサーに関する広告を移動体端末装置が受信する広告出力システムであって、放送チャンネル軸及び時間軸により示される複数の番組セルに該放送される番組の番組情報を割り当てた番組表と、該番組に関連付けられたスポンサーに関する情報と、該スポンサーに関連付けられた広告に関する情報とを格納するデータベースを備え、該移動体端末装置が、該番組放送装置から放送される番組を選択し、該データベースを参照して、該選択された番組に関連付けられたスポンサーを特定し、該特定されたスポンサーに関連付けられた広告に関する情報を読み出し、該読み出された広告に関する情報を、該選択された番組と併せて出力する。【選択図】図１
2015032175.tif 000002
【特許請求の範囲】
【請求項１】
番組を放送する番組放送装置と、該放送される番組及び該放送される番組のスポンサーに関する広告を受信する移動体端末装置とを備えた広告出力システムであって、
前記広告出力システムは、放送チャンネル軸及び時間軸により示される複数の番組セルに前記放送される番組の番組情報を割り当てた番組表と、該番組に関連付けられたスポンサーに関する情報と、該スポンサーに関連付けられた広告に関する情報とを格納するデータベースを備え、
前記移動体端末装置は、
前記番組放送装置から放送される番組を選択する選択部と、
前記データベースを参照し、前記選択された番組に関連付けられたスポンサーを特定する特定部と、
前記データベースを参照し、前記特定されたスポンサーに関連付けられた広告に関する情報を読み出す読出部と、
前記読み出された広告に関する情報を、前記選択された番組と併せて出力する出力部と、
を備える、広告出力システム。
【請求項２】
前記移動体端末装置は、
前記データベースに格納された番組表を参照して、前記選択された番組以外の番組に関連付けられたスポンサー情報に基づいて、前記出力部の出力を制御する第１の出力制御部を備え、
前記出力部は、前記第１の出力制御部の出力制御に基づいて前記読み出された広告に関する情報を出力する、
請求項１に記載の広告出力システム。
【請求項３】
前記選択された番組以外の番組は、前記選択された番組が割り当てられた番組セルと前記放送チャンネル軸及び／又は時間軸を同軸とする番組セルに割り当てられた番組である、
請求項２に記載の広告出力システム。
【請求項４】
前記移動体端末装置は、
該移動体端末装置の現在位置を特定する現在位置特定部及び／又は前記移動体端末装置の移動ルートを特定する移動ルート特定部と、
前記移動体端末装置の現在位置及び／又は移動ルートと、前記広告に関する情報に関連付けられた位置情報とに基づいて、前記出力部の出力を制御する第２の出力制御部と、を備え、
前記出力部は、前記第２の出力制御部の出力制御に基づいて前記読み出された広告に関する情報を出力する、
請求項１〜３のいずれか一項に記載の広告出力システム。
【請求項５】
番組放送装置によって放送される番組及び該放送される番組のスポンサーに関する広告を移動体端末装置が受信する広告出力方法であって、
放送チャンネル軸及び時間軸により示される複数の番組セルに前記放送される番組の番組情報を割り当てた番組表と、該番組に関連付けられたスポンサーに関する情報と、該スポンサーに関連付けられた広告に関する情報とをデータベースに格納する格納ステップと、
前記移動体端末装置が、前記番組放送装置から放送される番組を選択する選択ステップと、
前記移動体端末装置が、前記データベースを参照し、前記選択された番組に関連付けられたスポンサーを特定する特定ステップと、
前記移動体端末装置が、前記データベースを参照し、前記特定されたスポンサーに関連付けられた広告に関する情報を読み出す読出ステップと、
前記移動体端末装置が、前記読み出された広告に関する情報を、前記選択された番組と併せて出力する出力ステップと、
を備える、広告出力方法。
【請求項６】
前記移動体端末装置が、前記データベースに格納された番組表を参照して、前記選択された番組以外の番組に関連付けられたスポンサー情報に基づいて、前記出力ステップにおける出力を制御する第１の出力制御ステップを備え、
前記出力ステップでは、前記第１の出力制御ステップの出力制御に基づいて前記読み出された広告に関する情報を出力する、
請求項５に記載の広告出力方法。
【請求項７】
前記選択された番組以外の番組は、前記選択された番組が割り当てられた番組セルと前記放送チャンネル軸及び／又は時間軸を同軸とする番組セルに割り当てられた番組である、
請求項６に記載の広告出力方法。
【請求項８】
前記移動体端末装置が、該移動体端末装置の現在位置を特定する現在位置特定ステップ及び／又は前記移動体端末装置の移動ルートを特定する移動ルート特定ステップと、
前記移動体端末装置が、該移動体端末装置の現在位置及び／又は移動ルートと、前記広告に関する情報に関連付けられた位置情報とに基づいて、前記出力ステップにおける出力を制御する第２の出力制御ステップと、を備え、
前記出力ステップは、前記第２の出力制御ステップの出力制御に基づいて前記読み出された広告に関する情報を出力する、
請求項５〜７のいずれか一項に記載の広告出力方法。
【請求項９】
番組放送装置によって放送される番組及び該放送される番組のスポンサーに関する広告を移動体端末装置が受信するためのコンピュータプログラムであって、コンピュータを、
放送チャンネル軸及び時間軸により示される複数の番組セルに前記放送される番組の番組情報を割り当てた番組表と、該番組に関連付けられたスポンサーに関する情報と、該スポンサーに関連付けられた広告に関する情報とをデータベースに格納する格納手段と、
前記番組放送装置から放送される番組を選択する選択手段と、
前記データベースを参照し、前記選択された番組に関連付けられたスポンサーを特定する特定手段と、
前記データベースを参照し、前記特定されたスポンサーに関連付けられた広告に関する情報を読み出す読出手段と、
前記読み出された広告に関する情報を、前記選択された番組と併せて出力する出力手段、
として機能させる、コンピュータプログラム。
【請求項１０】
前記コンピュータを、更に、
前記データベースに格納された番組表を参照して、前記選択された番組以外の番組に関連付けられたスポンサー情報に基づいて、前記出力手段の出力を制御する第１の出力制御手段、として機能させ、
前記出力手段では、前記第１の出力制御手段の出力制御に基づいて前記読み出された広告に関する情報を出力する、
請求項９に記載のコンピュータプログラム。
【請求項１１】
前記選択された番組以外の番組は、前記選択された番組が割り当てられた番組セルと前記放送チャンネル軸及び／又は時間軸を同軸とする番組セルに割り当てられた番組である、
請求項１０に記載のコンピュータプログラム。
【請求項１２】
前記コンピュータを、更に、
該移動体端末装置の現在位置を特定する現在位置特定手段及び／又は前記移動体端末装置の移動ルートを特定する移動ルート特定手段と、
該移動体端末装置の現在位置及び／又は移動ルートと、前記広告に関する情報に関連付けられた位置情報とに基づいて、前記出力手段の出力を制御する第２の出力制御手段、として機能させ、
前記出力手段は、前記第２の出力制御手段の出力制御に基づいて前記読み出された広告に関する情報を出力する、
請求項９〜１１のいずれか一項に記載のコンピュータプログラム。
【請求項１３】
請求項９〜請求項１２のいずれかに記載のコンピュータプログラムを記録する記録媒体。
【発明の詳細な説明】
【技術分野】
【０００１】
本発明は、放送番組のスポンサー情報に基づいて広告を出力する広告出力システム及びその方法に関する。
【背景技術】
【０００２】
従来、ラジオ放送等において番組を放送する際、番組のスポンサーは、当該放送される番組のコマーシャル時間帯に放送電波を通して当該スポンサーの広告を提供している。一方、特許文献１には、番組データとチャンネルとに応じて、視聴した番組に関連する情報を事後に提供可能な技術が開示されている。
本発明に関連する従来技術を開示する特許文献２又は３も参照されたい。
【先行技術文献】
【特許文献】
【０００３】
【特許文献１】特開２０１２−０７３９５９号公報
【特許文献２】特開２０１０−１１７１８８号公報
【特許文献３】特開２０１１−０５９０３８号公報
【発明の概要】
【発明が解決しようとする課題】
【０００４】
本発明者は、番組のスポンサーが、当該スポンサーが提供する番組の放送中に、視聴者に対してより情報量の多い広告等を提供できるよう鋭意検討を重ねてきた。その結果、番組表と、番組に関連付けられたスポンサーに関する情報と、該スポンサーに関連付けられた広告に関する情報を格納するデータベースを備え、視聴者が選択した番組のスポンサーに関連付けられた広告を該データベースから読み出すことにより、番組と併せてよりリッチな広告情報を提供できることに想到した。
【課題を解決するための手段】
【０００５】
この発明は上述の課題に鑑みてなされたものであり、その第１の局面は次のように規定される。即ち、
番組を放送する番組放送装置と、該放送される番組及び該放送される番組のスポンサーに関する広告を受信する移動体端末装置とを備えた広告出力システムであって、
前記広告出力システムは、放送チャンネル軸及び時間軸により示される複数の番組セルに前記放送される番組の番組情報を割り当てた番組表と、該番組に関連付けられたスポンサーに関する情報と、該スポンサーに関連付けられた広告に関する情報とを格納するデータベースを備え、
前記移動体端末装置は、
前記番組放送装置から放送される番組を選択する選択部と、
前記データベースを参照し、前記選択された番組に関連付けられたスポンサーを特定する特定部と、
前記データベースを参照し、前記特定されたスポンサーに関連付けられた広告に関する情報を読み出す読出部と、
前記読み出された広告に関する情報を、前記選択された番組と併せて出力する出力部と、
を備える、広告出力システム。
【０００６】
このように規定される第１の局面の広告出力システムによれば、番組表と、番組に関連付けられたスポンサーに関する情報と、該スポンサーに関連付けられた広告に関する情報を格納するデータベースを備え、放送される番組と該番組のスポンサーに関する広告を受信する移動体端末装置は、該データベースを参照して、選択された番組に関連付けられたスポンサーを特定する。そして、上記データベースを参照し、該特定されたスポンサーに関連付けられた広告に関する情報を読み出し、該読み出された広告に関する情報を上記選択された番組と併せて出力する。このように、スポンサーに関する広告を格納するデータベースを備えることで、放送電波での提供に比べ、よりリッチな広告情報を視聴者に提供することが可能となる。また、放送電波で放送する番組と併せて、上記広告を提供するため、視聴者へのスポンサーの印象付けをより効率的に行うことが可能となる。
【０００７】
広告提供中に、視聴者が放送チャンネルの選局を行ったり、あるいは、番組の放送時間が終了した場合、選局後の番組のスポンサーあるいは次番組のスポンサーが広告提供中のスポンサーと異なることがある。そして、異なるスポンサーが提供する番組放送時に広告提供を行うことはスポンサーの印象を落とすことに繋がりかねない。
そこで、この発明の第２の局面は次のように規定される。即ち、
第１の局面に規定の広告出力システムにおいて、前記移動体端末装置は、
前記データベースに格納された番組表を参照して、前記選択された番組以外の番組に関連付けられたスポンサー情報に基づいて、前記出力部の出力を制御する第１の出力制御部を備え、
前記出力部は、前記第１の出力制御部の出力制御に基づいて前記読み出された広告に関する情報を出力する。
このように規定される第２の局面の広告出力システムによれば、広告を提供する際、選択された番組以外の番組に関連付けられたスポンサー情報を考慮した広告の提供を行うことができる。
ここで、前記選択された番組以外の番組は、前記選択された番組が割り当てられた番組セルと前記放送チャンネル軸及び／又は時間軸を同軸とする番組セルに割り当てられた番組である（第３の局面）。
【０００８】
同一スポンサーの広告であっても、上記移動体端末装置の現在位置や移動ルートに応じて広告を提供することにより、当該スポンサーを強く印象付けることが可能であるし、また、例えば、当該スポンサーの店舗への集客に好影響を与えることが可能となる。
そこで、この発明の第４の局面は次のように規定される。即ち、
第１〜第３のいずれかの局面に規定の広告出力システムにおいて、前記移動体端末装置は、
該移動体端末装置の現在位置を特定する現在位置特定部及び／又は前記移動体端末装置の移動ルートを特定する移動ルート特定部と、
前記移動体端末装置の現在位置及び／又は移動ルートと、前記広告に関する情報に関連付けられた位置情報とに基づいて、前記出力部の出力を制御する第２の出力制御部と、を備え、
前記出力部は、前記第２の出力制御部の出力制御に基づいて前記読み出された広告に関する情報を出力する。
【０００９】
また、この発明の第５の局面は次のように規定される。即ち、
番組放送装置によって放送される番組及び該放送される番組のスポンサーに関する広告を移動体端末装置が受信する広告出力方法であって、
放送チャンネル軸及び時間軸により示される複数の番組セルに前記放送される番組の番組情報を割り当てた番組表と、該番組に関連付けられたスポンサーに関する情報と、該スポンサーに関連付けられた広告に関する情報とをデータベースに格納する格納ステップと、
前記移動体端末装置が、前記番組放送装置から放送される番組を選択する選択ステップと、
前記移動体端末装置が、前記データベースを参照し、前記選択された番組に関連付けられたスポンサーを特定する特定ステップと、
前記移動体端末装置が、前記データベースを参照し、前記特定されたスポンサーに関連付けられた広告に関する情報を読み出す読出ステップと、
前記移動体端末装置が、前記読み出された広告に関する情報を、前記選択された番組と併せて出力する出力ステップと、
を備える、広告出力方法。
このように規定される第５の局面の発明によれば、第１の局面と同等の効果を奏する。
【００１０】
この発明の第６の局面は次のように規定される。即ち、
第５の局面に規定の方法において、前記移動体端末装置が、前記データベースに格納された番組表を参照して、前記選択された番組以外の番組に関連付けられたスポンサー情報に基づいて、前記出力ステップにおける出力を制御する第１の出力制御ステップを備え、
前記出力ステップでは、前記第１の出力制御ステップの出力制御に基づいて前記読み出された広告に関する情報を出力する。
このように規定される第６の局面の発明によれば、第２の局面と同等の効果を奏する。
【００１１】
この発明の第７の局面は次のように規定される。即ち、
第６の局面に規定の方法において、前記選択された番組以外の番組は、前記選択された番組が割り当てられた番組セルと前記放送チャンネル軸及び／又は時間軸を同軸とする番組セルに割り当てられた番組である。
このように規定される第７の局面の発明によれば、第３の局面と同等の効果を奏する。
【００１２】
この発明の第８の局面は次のように規定される。即ち、
第５〜第７のいずれかの局面に規定の方法において、前記移動体端末装置が、該移動体端末装置の現在位置を特定する現在位置特定ステップ及び／又は前記移動体端末装置の移動ルートを特定する移動ルート特定ステップと、
前記移動体端末装置が、該移動体端末装置の現在位置及び／又は移動ルートと、前記広告に関する情報に関連付けられた位置情報とに基づいて、前記出力ステップにおける出力を制御する第２の出力制御ステップと、を備え、
前記出力ステップは、前記第２の出力制御ステップの出力制御に基づいて前記読み出された広告に関する情報を出力する。
このように規定される第８の局面の発明によれば、第４の局面と同等の効果を奏する。
【００１３】
更に、この発明の第９の局面は次のように規定される。即ち、
番組放送装置によって放送される番組及び該放送される番組のスポンサーに関する広告を移動体端末装置が受信するためのコンピュータプログラムであって、コンピュータを、
放送チャンネル軸及び時間軸により示される複数の番組セルに前記放送される番組の番組情報を割り当てた番組表と、該番組に関連付けられたスポンサーに関する情報と、該スポンサーに関連付けられた広告に関する情報とをデータベースに格納する格納手段と、
前記番組放送装置から放送される番組を選択する選択手段と、
前記データベースを参照し、前記選択された番組に関連付けられたスポンサーを特定する特定手段と、
前記データベースを参照し、前記特定されたスポンサーに関連付けられた広告に関する情報を読み出す読出手段と、
前記読み出された広告に関する情報を、前記選択された番組と併せて出力する出力手段、
として機能させる、コンピュータプログラム。
このように規定される第９の局面の発明によれば、第１の局面と同等の効果を奏する。
【００１４】
この発明の第１０の局面は次のように規定される。即ち、
第９の局面に規定のコンピュータプログラムにおいて、前記コンピュータを、更に、
前記データベースに格納された番組表を参照して、前記選択された番組以外の番組に関連付けられたスポンサー情報に基づいて、前記出力手段の出力を制御する第１の出力制御手段、として機能させ、
前記出力手段では、前記第１の出力制御手段の出力制御に基づいて前記読み出された広告に関する情報を出力する。
このように規定される第１０の局面の発明によれば、第２の局面と同等の効果を奏する。
【００１５】
この発明の第１１の局面は次のように規定される。即ち、
第１０の局面に規定のコンピュータプログラムにおいて、前記選択された番組以外の番組は、前記選択された番組が割り当てられた番組セルと前記放送チャンネル軸及び／又は時間軸を同軸とする番組セルに割り当てられた番組である。
このように規定される第１１の局面の発明によれば、第３の局面と同等の効果を奏する。
【００１６】
この発明の第１２の局面は次のように規定される。即ち、
第９〜第１１のいずれかの局面に規定のコンピュータプログラムにおいて、前記コンピュータを、更に、
該移動体端末装置の現在位置を特定する現在位置特定手段及び／又は前記移動体端末装置の移動ルートを特定する移動ルート特定手段と、
該移動体端末装置の現在位置及び／又は移動ルートと、前記広告に関する情報に関連付けられた位置情報とに基づいて、前記出力手段の出力を制御する第２の出力制御手段、として機能させ、
前記出力手段は、前記第２の出力制御手段の出力制御に基づいて前記読み出された広告に関する情報を出力する。
このように規定される第１２の局面の発明によれば、第４の局面と同等の効果を奏する。
【００１７】
請求項９〜請求項１２のいずれかの局面に規定されるコンピュータプログラムを記録する記録媒体が第１３の局面として規定される。
【図面の簡単な説明】
【００１８】
【図１】本発明の実施の形態の広告出力システム１の構成を示すブロック図である。
【図２】本発明の実施の形態の広告出力システム１の動作の一例を示すフローチャートである。
【図３】本発明の他の実施の形態の広告出力システム２１の構成を示すブロック図である。
【図４】本発明の実施の形態の広告出力システム２１の動作の一例を示すフローチャートである。
【図５】本発明の実施例の広告出力システム５１の構成を示すブロック図である。
【発明を実施するための形態】
【００１９】
この発明の実施の形態の広告出力システムを説明する。
図１に、広告出力システム１の概略構成を示す。
図１に示すように、この広告出力システム１は、番組放送装置３、データベース（ＤＢ）５、第１の移動体端末装置７及び第２〜第ｎの移動体端末装置（Ｍ２〜Ｍｎ）を備えており、番組放送装置３とＤＢ５とはネットワークＮ１を介して、ＤＢ５と第１〜第ｎの移動体端末装置とはネットワークＮ２を介して、夫々無線接続されている。また、この実施の形態において他の移動体端末装置Ｍ２〜Ｍｎは、第１の移動体端末装置Ｍ１と同様の構成を備えている。
【００２０】
番組放送装置３は番組を放送する装置であり、番組コンテンツ格納部３１及び番組コンテンツ放送部３２を備えている。この番組放送装置は、例えば、ラジオ放送、テレビ放送等を行う放送局等に備えることとできる。当該ラジオ放送としては、音声のみを送信する放送に限られず、音声とともに文字データを同時に送信する放送も含まれる。上記テレビ放送についても同様に、映像や音声とともにデータを同時に送信する放送を含むこととしても良い。特に、ラジオ放送においては、その放送の出力態様が主に音声に限られるため、広告情報の情報量にも制限がある。そこで、スポンサーの広告情報を音声以外の画像等の出力態様でも出力可能な、すなわち、より情報量の多い広告情報を出力可能な、本広告出力システムは、ラジオ放送局においてより好ましく適用される。
【００２１】
番組コンテンツ格納部３１には、映像、音声又は文字の少なくとも１つを含む番組コンテンツが格納されている。当該番組コンテンツは、該番組コンテンツを放送する時間情報や放送チャンネル情報に関連付けて格納されていても良い。例えば、放送チャンネル軸及び時間軸により示される複数の番組セルに前記放送される番組の番組情報を割り当てた番組表に関連付ける等することとできる。
【００２２】
番組コンテンツ放送部３２は、上記番組コンテンツ格納部３１に格納された番組コンテンツを、予め定められた時間情報及びチャンネル情報に基づき移動体端末装置に対して放送する。当該放送の方法としては、特に限定されないが、後述の移動体端末装置内選択部７３によって選択された放送チャンネルを放送することとできる。また、上記番組コンテンツ格納部３１に格納された番組表については、上記選択された放送チャンネルに対応する番組表を送信しても良いし、当該選択された放送チャンネル以外の放送チャンネルに対応する番組表を併せて送信することとしても良い。
【００２３】
データベース５には、放送チャンネル軸及び時間軸により示される複数の番組セルに上記放送される番組の番組情報を割り当てた番組表と、該番組に関連付けられたスポンサーに関する情報と、該スポンサーに関連付けられた広告に関する情報を格納する。当該データベースは、上記番組コンテンツ格納部３１に格納された情報に基づいて作成されることとできる。当該広告に関する情報としては、動画や静止画等の画像情報であっても良く、文字等のテキスト情報であっても良く、また、これらを組み合わせた情報であっても良い。上記広告に関する情報の内容としては、例えば、スポンサーが車両メーカ−である場合には、新車情報等、スポンサーが飲食店である場合には、新商品情報や当該飲食店が発行するクーポン等が挙げられる。各スポンサーに関連付けられる広告に関する情報は、一であっても良く、二以上であっても良い。また、上記広告に関する情報には、移動体端末装置に出力するための優先順位が関連付けられていても良い。更には、広告を出力する時間帯に関する情報としての対象時間帯情報、広告を出力する移動体端末装置に対応する属性に関する情報としての対象属性情報等が関連付けられていても良い。当該対象属性情報としては、例えば、年齢情報や性別情報が挙げられる。上記スポンサーが、該スポンサーに関連する施設や店舗を有する場合、該施設や店舗の位置を示す位置情報を関連付けることとできる。
【００２４】
第１の移動体端末装置７は、上記番組放送装置３において放送される番組及び当該放送される番組のスポンサーに関する広告を受信する。この第１の移動体端末装置７は、放送アンテナ７１、受信部７２、選択部７３、特定部７４、読出部７５及び出力部７６を備えている。
受信部７２は、放送アンテナ７１を介して、上記番組放送装置３が送信した放送電波を受信する。
選択部７３は、上記番組放送装置３から放送される番組を選択する。すなわち、上記受信部７２で受信した放送電波に基づき、放送チャンネルの選局を受け付けることにより番組を選択する。
【００２５】
特定部７４は、上記ＤＢ５を参照し、上記選択部７３で選択された番組に関連付けられたスポンサーを特定する。当該特定の方法は、特に限定されないが、短い時間内に繰り返し番組の選択が行われる場合を考慮して、上記選択部７３で番組が選択されて所定時間（例えば、１０秒間）経過した後、スポンサーを特定することとできる。また、当該選択された番組に一のスポンサーが関連付けられている場合には当該スポンサーとすることとでき、二以上のスポンサーが関連付けられている場合には、全てのスポンサーを特定することとしても良いし、予め付与される順位の最も高いスポンサーを特定することとしても良い。
【００２６】
読出部７５は、上記特定部７４で特定されたスポンサーに関する情報に基づき、該スポンサーに関連付けられた広告に関する情報を読み出す。当該読み出しの方法は、特に限定されないが、上記特定されたスポンサーに関連付けられた全ての広告に関する情報を読み出すこととしても良いし、その一部を読み出すこととしても良い。当該一部を読み出す場合、広告情報に予め付与された順位に基づいて優先順位の高い情報を読み出すこととできる。また、広告情報に対象時間帯情報が付与されている場合には、現在時刻を含む対象時間帯情報が付与された広告情報のみを、あるいは、当該広告情報を優先的に読み出すこととしても良い。さらには、広告情報に年齢情報や性別情報等の対象属性情報が付与されている場合には、移動体端末装置に付与されている年齢情報や性別情報等を含む対象属性情報が付与された広告情報のみを、あるいは、当該広告情報を優先的に読み出すこととすることもできる。
【００２７】
出力部７６は、上記読出部７５で読み出された広告に関する情報を、上記選択部７３で選択された番組と併せて出力する。当該出力の方法は、特に限定されないが、上記読出部７５において、上記特定されたスポンサーに関連付けられた全ての広告に関する情報を読み出すこととした場合、出力部７６において、上述のように時間帯、年齢、性別に応じた広告情報を出力することとしても良い。また、出力部７６は、上記選択部７３で番組が選択された後所定時間については、上記広告情報の出力を制限することとしても良い。さらには、番組内において予めコマーシャルが放送される時間が特定されている場合、あるいは、現在放送されているのがコマーシャルである旨の情報を取得した場合、該コマーシャルが放送される時間については広告情報を出力しないよう制御することとできる。
【００２８】
図２を用いて、図１に示す広告出力システム１の動作の一例を説明する。
まず、ステップ１では、番組コンテンツ放送部３２が番組コンテンツを放送し、受信部７２が放送アンテナ７１を介して番組コンテンツを受信する。
ステップ３では、選択部７３が、放送チャンネルの選局を受け付けることにより、ステップ１で受信した番組コンテンツから番組を選択する。
ステップ５では、特定部７４が、上記ＤＢ５を参照することにより、ステップ３で選択された番組のスポンサーを特定する。
ステップ７では、読出部７５が、上記ＤＢ５を参照することにより、ステップ５で特定されたスポンサーに関連付けられた広告情報を読み出す。
ステップ９では、出力部７６が、ステップ７で読み出された広告情報を出力する。
【００２９】
図３に、他の実施の形態の広告出力システム２１を示す。図３において、図１と同一の要素には同一の符号を付して、その説明を部分的に省略する。
図３に示すのは、ＤＢ５に格納された番組表を参照して、現在選択されている番組が割り当てられた番組セルと放送チャンネル軸及び／又は時間軸を同軸とする番組セルに割り当てられた番組のスポンサー情報を考慮して広告を出力制御可能な広告出力システム２１である。すなわち、当該システム２１は、図１に示すシステム１において、第１の移動体端末装置７に代えて第１の移動体端末装置２３を備える。
第１の移動体端末装置２３は、上記第１の移動体端末装置７内において、第１の出力制御部２５を更に備え、出力部７６に代えて出力部２６を備える。
【００３０】
第１の出力制御部２５は、上記ＤＢ５に格納された番組表を参照して、上記選択部７３で選択された番組が割り当てられた番組セルと放送チャンネル軸、時間軸を同軸とする番組セルに割り当てられた番組のスポンサー情報に基づいて、出力部２６の出力を制御する。上記放送チャンネル軸を指標に出力制御する場合には、例えば、番組の開始後所定時間、あるいは番組の終了前所定時間については広告情報を出力しないよう制御することとできる。一方、時間軸を指標に出力制御する場合には、例えば、現在選択されている番組のスポンサーと、該選択されている番組が割り当てられた番組セルと、放送チャンネル軸が同軸の番組セルに割り当てられた番組のスポンサーとが同一又は類似の業種である場合、広告情報を出力しないよう制御することとできる。この場合、スポンサーと業種とを関連付けたデータベースを用意しておくことが好ましい。
このシステム２１において、出力部２６は、上記第１の出力制御部２５の出力制御に基づいて、上記読出部７５で読み出された広告情報を出力する。
【００３１】
図４を用いて、図３に示す広告出力システム２１の動作の一例を説明する。図４において、図２と同一のステップには同一の符号を付して、その説明を部分的に省略する。
ステップ２０では、第１の出力制御部２５は、ステップ３で番組が選択された時刻を特定する。
ステップ２１では、第１の出力制御部２５は、上記ＤＢ５の番組表を参照して、ステップ２０で特定された番組選択時刻が当該番組開始後所定時間内（例えば、５分間）であるか否かを判定する。当該判定の結果、ステップ２０で特定された番組選択時刻が、当該番組開始後所定時間内でないとき（ステップ２１：Ｎｏ）、ステップ２３へ進む。一方、ステップ２１においてＹｅｓの場合、処理を終了する。
【００３２】
ステップ２３では、第１の出力制御部２５は、上記ＤＢ５の番組表を参照して、ステップ２０で特定された番組選択時刻が当該番組終了前所定時間内（例えば、５分間）であるか否かを判定する。当該判定の結果、ステップ２０で特定された番組選択時刻が、当該番組終了前所定時間内でないとき（ステップ２３：Ｎｏ）、ステップ２５へ進む。一方、ステップ２３においてＹｅｓの場合、処理を終了する。
ステップ２５では、第１の出力制御部２５は、スポンサーを業種が関連付けられたデータベースを参照して、ステップ５で特定されたスポンサーと、ステップ３で選択された番組と同時間に放送されている番組のスポンサーとが同業種であるか否かを判定する。当該判定の結果、同業種でない場合（ステップ２５：Ｎｏ）、ステップ７へ進む。一方、ステップ２５においてＹｅｓの場合、処理を終了する。
【００３３】
図５に、この発明の実施例の広告出力システム５１を示す。図５において、図１及び図３と同一の要素には同一の符号を付して、その説明を部分的に省略する。
図５に示すのは、移動体端末装置としてのナビゲーション装置の現在位置及び／又は移動ルートを考慮して、広告情報を出力可能な広告出力システム５１である。すなわち、当該システム５１は、図１に示すシステム１において、第１の移動体端末装置７に代えて第１のナビゲーション装置４３を備える。
第１のナビゲーション装置４３は、制御部５１０、メモリ部５１１、入力部５１２、出力部５１３、インターフェース部５１４、現在位置特定部５１５、放送アンテナ７１、受信部７２、選択部７３、特定部７４、読出部７５、移動ルート特定部５１７及び第２の出力制御部５１８を備えている。
【００３４】
制御部５１０はＣＰＵ、バッファメモリその他の装置を備えたコンピュータ装置であり、ナビゲーション装置５３を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、ナビゲーション装置の記憶装置としての内蔵ハードディスク又は内蔵メモリ、ナビゲーション装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
入力部５１２は、例えば、ユーザの指令の入力に用いられる。入力部５１２として、ディスプレイの表示内容と協働するタッチパネル、ライトペン又はマウス等のポインティングデバイスやキーボード又はマイクロホン等の音声入力装置を用いることとできる。
【００３５】
出力部５１３はディスプレイを含み、上記ＤＢ５に格納された広告情報を出力する。このシステム５１において、当該広告情報の出力は、後述の第２の出力制御部５１８の出力制御に基づいて行われる。出力の例として、上記番組放送がラジオ放送である場合、ナビゲーションの画面上の一部に当該放送の映像や文字を出力することとできる。また、当該ナビゲーション装置５３が車両に搭載されている場合には、例えば、車両停車時や交差点付近のタイミングをもって出力することとできる。出力部５１３は、他にも、一般的なナビゲーション装置において出力される目的地検索のための検索画面、地図、その他の情報を表示する。この出力部５１３は音声発信部を含むこともできる。
インターフェース部５１４はナビゲーション装置５３を無線ネットワーク等へ連結させる。
現在位置特定部５１５は、ＧＰＳ装置やジャイロ装置によりナビゲーション装置の現在の位置情報を特定する。併せて、現在時刻を特定することもできる。
【００３６】
移動ルート特定部５１７は、ナビゲーション装置５３の移動ルートを特定する。当該移動ルートは、現在位置あるいは現在時刻から移動予定のルートを意味するが、既に移動してきたルートを含むこととしても良い。当該特定の方法は、特に限定されないが、ナビゲーション装置利用者によって入力される出発地（あるいは現在位置）と目的地とに基づいてルート探索部（図示しない）が、適宜特定する移動ルートとすることとできる。他の例として、移動ルート特定部５１７は、現在時刻前所定時間に移動したルートに連続する道路を移動ルートと特定することとしても良い。
第２の出力制御部５１８は、上記現在位置特定部５１５で特定された現在位置や、上記移動ルート特定部５１７で特定された移動ルートと、上記広告に関する情報に関連付けられた位置情報とに基づいて、上記出力部５１３の出力を制御する。上記現在位置を指標に出力制御する場合は、現在位置から所定範囲内に位置情報を有する上記広告情報を出力するよう制御することとできる。一方、上記移動ルートを指標に出力制御する場合は、当該移動ルート沿いから所定距離内に位置情報を有する上記広告情報を出力するよう制御することとできる。
【００３７】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００３８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３９】
１  ２１  ５１  広告出力システム
３  番組放送装置
３１  番組コンテンツ格納部
３２  番組コンテンツ放送部
５  データベース
７  第１の移動体端末装置
７１  放送アンテナ
７２  受信部
７３  選択部
７４  特定部
７５  読出部
７６  出力部
【図１】
2015032175.tif 000003
【図２】
2015032175.tif 000004
【図３】
2015032175.tif 000005
【図４】
2015032175.tif 000006
【図５】
2015032175.tif 000007